(57)【要約】【課題】使い捨てポンプヘッドを提供する。【解決手段】本発明に係るポンプは、流体が流入口に流入して使い捨てポンプヘッドを通って流出口から外側に流出するようにモータに摩擦によって係合するように形成される使い捨てポンプヘッドと、カバー及びラッチ配置を有するとともに、使い捨てポンプヘッドを受け入れる寸法を有する内部空洞を有するように形成されるキャニスタと、を備える。カバーは、パッドのような圧縮部材を有しており、圧縮部材は、使い捨てポンプヘッドとモータとを摩擦によって係合させるために使い捨てポンプヘッドの上面を押し付けるような寸法を有する。ラッチ配置は、カバーのふちを掴む部分を備えてよい。使い捨てポンプヘッドは、上側ハウジングと、弁ハウジングと、往復ピストンと、膜と、外側ピストンプレートと、軸受けハウジングと、モータのシャフトに連結するカムと、を備える膜ポンプであってよい。【選択図】図１ａ
2011069369.tif 000002
【特許請求の範囲】
【請求項１】
ポンプであって、当該ポンプは、
流入口と流出口とを有する使い捨てポンプヘッドであって、流体が前記流入口に流入して当該使い捨てポンプヘッドを通って前記流出口から外側に流出するためにモータに摩擦によって係合するように構成される使い捨てポンプヘッドと、
外壁部分と、カバーと、ラッチ配置と、を有するキャニスタであって、前記外壁部分が、前記使い捨てポンプヘッドを受け入れる寸法を有する空洞を形成するように構成されており、前記カバーが、前記使い捨てポンプヘッドと前記モータとを摩擦によって係合させるために前記ラッチ配置によって前記外壁部分を閉じて前記外壁部分にラッチをかけられるように構成されるキャニスタと、を備えるポンプ。
【請求項２】
前記カバーは、前記使い捨てポンプヘッドと前記モータとを摩擦によって係合させるために前記使い捨てポンプヘッドの上面を押し込むような寸法を有する圧縮パッドを含む圧縮部材を有する請求項１に記載のポンプ。
【請求項３】
前記ラッチ配置は、前記カバーのへりを掴む部分を備える請求項１に記載のポンプ。
【請求項４】
前記使い捨てポンプヘッドは膜ポンプであり、当該膜ポンプは、上側ハウジングと、弁ハウジングと、往復ピストンと、膜と、外側ピストンプレートと、軸受けハウジングと、前記モータのシャフトに連結するカムと、を備える請求項１に記載のポンプ。
【請求項５】
前記キャニスタは、前記使い捨てポンプヘッドの前記流入口及び前記流出口を受け入れる開口を有するように構成される外壁部分を有する請求項１に記載のポンプ。
【請求項６】
前記使い捨てポンプヘッドは、締結具の必要性を排除するために「Ｄ」駆動を用いた係合によって前記モータに摩擦によって係合される請求項１に記載のポンプ。
【請求項７】
既定の形状の壁を有する軸受けハウジング部材を有するとともに流体を送り込むために前記使い捨てポンプヘッドアセンブリを駆動するモータを連結するカムを有する使い捨てポンプヘッドアセンブリを受け入れるキャニスタであって、当該キャニスタは、
当該キャニスタ内に前記使い捨てポンプヘッドアセンブリを受け入れる空洞を規定するように構成される外壁部分と、
前記使い捨てポンプヘッドアセンブリのカムがモータに連結され得るように開口を有するように構成される底壁であって、前記使い捨てポンプヘッドアセンブリの前記軸受けハウジング部分を受け入れるために前記軸受けハウジングの前記外壁部分の前記既定の形状に対応する形状を有するように形成される内壁であって、当該キャニスタに対する前記使い捨てポンプヘッドアセンブリの回転運動を妨げるために膜支持プレートの下側部分に係合するように形成される当該底壁の一部を有する内壁を有するように構成される底壁と、
前記使い捨てポンプヘッドアセンブリを交換するために当該キャニスタを開け、前記使い捨てポンプヘッドアセンブリが交換された後に前記底壁と前記膜支持プレートの下側部分とを係合させるために当該キャニスタを閉じ、かつ、前記モータと摩擦によって係合するように前記使い捨てポンプヘッドを押し込む又は押しやるために、前記外壁部分に着脱自在に連結するように構成されるカバー部分と、を備えるキャニスタ。
【請求項８】
前記内壁は、前記外壁から内側に向かって広がる湾曲した壁として構成される請求項７に記載のキャニスタ。
【請求項９】
前記内壁は、膜ポンプの一部を形成する往復ピストンを有するように形成される軸受けハウジングを受け入れるローブ形状の空洞を形成するように構成される請求項７に記載のキャニスタ。
【請求項１０】
前記カムは、膜ポンプの一部を形成する往復ピストンを駆動するように構成される請求項７に記載のキャニスタ。
【請求項１１】
前記支持部材は、膜ポンプの一部を形成する往復ピストンを受け入れるように構成される支持プレートである請求項７に記載のキャニスタ。
【請求項１２】
膜ポンプであって、当該膜ポンプは、
所定の形状を有する壁であって往復ピストンを受け入れる開口を規定する壁を有するように構成される軸受けハウジングを有する使い捨てポンプヘッドアセンブリであって、膜に関連付けて前記往復ピストンを駆動させるモータに連結されるように構成されるカムを有するように構成される使い捨てポンプヘッドアセンブリと、
外壁部分と、カバー部分と、後壁部分と、クランプ装置と、を有するように構成されるキャニスタであって、前記外壁部分は、前記使い捨てポンプヘッドアセンブリを受け入れる空洞を規定し、前記後壁部分が、支持プレートを受け入れて前記支持プレートと係合するためとともにカムが前記膜に関連付けて前記往復ピストンを駆動する時に当該キャニスタに関連付けて前記使い捨てポンプヘッドアセンブリの回転運動を妨げるために前記軸受けハウジングの前記壁の形状に対して対応の形状を有するように当該後壁部分内に形成される内壁を有しており、前記後壁部分が、前記カムが前記モータに連結され得るように開口を有するように構成され、前記クランプ装置が、前記使い捨てポンプヘッドアセンブリの交換のために当該キャニスタを開けるため、かつ、前記使い捨てポンプヘッドアセンブリが交換された後に当該キャニスタを閉じるため、前記カバー部分と前記外壁部分とをともに着脱可能に連結するように構成されるキャニスタと、を備える膜ポンプ。
【発明の詳細な説明】
【技術分野】
【０００１】
本願は、２００９年９月２４日に出願された米国特許仮出願第６１／２４５５３３号の利益を主張し、当該米国特許仮出願の全体がここに引用することにより組み入れられる。
【０００２】
本発明は、ポンプヘッドに関し、さらに特に使い捨てポンプヘッドに関する。
【背景技術】
【０００３】
いくつかの適用、稼働、又は手順の後、ポンプヘッドは、次の適用、稼働又は手順の前に清浄化されて消毒されなければならない。この清浄化及び消毒の処理は、不必要な遅延と、材料の相互汚染の可能性を含むある媒体への有害な曝露とを結果として生じさせ得る。現在では、市場において既知の技術は、製品のバッチ同士の間で浄化及び／又は消毒を必要とする膜ポンプに加えて、そうした適用のための蠕動ポンプを用いることを含む。これらの既知の技術の他の欠点はまた、保守の時間と、ポンプで送り込まれる流体との接触の可能性と、を含む。
【発明の概要】
【発明が解決しようとする課題】
【０００４】
このことを考慮して、そうした適用、稼働、又は手順で用いる新技術に対して業界内で保守が単純であることといった要求があり、そうした保守は、清浄化及び／又は消毒を必要としないように、次の適用、稼働、及び手順がわずかに遅延した状態で又はポンプで送り込まれる媒体にわずかに曝露した状態で開始されることが可能であるように、ポンプで送り込まれる材料の簡単な交換を可能にし、かつ、材料の相互汚染の可能性を排除する単純な使い捨てさえをも可能にする。
【０００５】
本発明は、ここで説明されるものと一致するそうした新技術を提供する。
【課題を解決するための手段】
【０００６】
本発明は、使い捨てポンプヘッドアセンブリ及びキャニスタを特徴づけるポンプを提供する。
【０００７】
使い捨てポンプヘッドアセンブリは、流入口と流出口とを有しており、ポンプで流体を流入口に流入させて使い捨てポンプヘッドを通って流出口から外側に流出させるためにモータに摩擦によって係合されるように構成されている。
【０００８】
キャニスタは、外壁部分と、カバーと、ラッチ配置とを有しており、外壁部分は、使い捨てポンプヘッドを受け入れる寸法を有する内部空洞を形成するように構成されており、かつ、カバーは、使い捨てポンプヘッドとモータとが摩擦によって係合するようにラッチ配置によって外壁部分を閉鎖して外壁部分にラッチで留められるように構成される。
【０００９】
カバーは、使い捨てポンプヘッドとモータとを摩擦によって係合させるように使い捨てポンプヘッドの上面を押し込むような寸法を有する圧縮パッドを有する。
【００１０】
カバーはヒンジ上に配置されてよい。ラッチ配置は、カバーに形成されるへりを掴む部分又はへりにラッチをかける部分を備えてよい。使い捨てポンプヘッドは膜ポンプであって、膜ポンプは、上側ハウジングと、弁ハウジングと、往復ピストンと、膜と、外側ピストンプレートと、軸受けハウジングと、モータのシャフトに連結するカムと、を備える。
【００１１】
特定の一実施形態では、使い捨てポンプヘッドアセンブリは、既定の形状を有する外壁であって往復ピストンを受け入れる開口を規定する外壁を有するように構成される軸受けハウジングを含んでよい。使い捨てポンプヘッドアセンブリはまた、使い捨てポンプヘッドアセンブリが流体を送り込むことが可能なように往復ピストンを駆動させるモータに連結されるように形成されるカムを有するように構成される。
【００１２】
キャニスタ内では、外壁部分は、使い捨てポンプヘッドを受け入れる空洞を規定するように構成されてよい。底壁部分は、使い捨てポンプヘッドアセンブリを受け入れる軸受けハウジングの壁の既定の形状にほぼ同様の対応の既定の形状を有するように当該底壁部分内に形成される内壁を含んでよく、膜支持プレートの下側部分は、カムが往復ピストンを駆動させる時にキャニスタに対する使い捨てポンプヘッドアセンブリの回転運動を妨げるために底壁部分の上側部分に係合するか又は上側部分を押し上げるように形成されてよい。底壁部分はまた、カムがモータに連結され得るように開口を有するように構成されてよい。カバーは、使い捨てポンプヘッドアセンブリを交換するためにキャニスタを開けるため、かつ、使い捨てポンプヘッドアセンブリが交換された後にキャニスタを閉じるため、外壁部分に着脱可能に連結される。
【００１３】
本発明はまた、ここに説明される特徴を有する使い捨てポンプヘッドアセンブリを受け入れるキャニスタそのものの形態をとってもよい。
【００１４】
使い捨てポンプヘッドとキャニスタとの設計によれば、保守は、単純に引っ張り出して捨てること及び交換することをコンセプトとする。この特徴は以下を可能にする。
本発明に係る設計は、清浄化及び／又は消毒を必要としないので、ポンプで送り込まれる材料の簡単な交換を可能にする。技術者は、使い捨てポンプヘッドを取り外して、適切にそれを処分し、その後に新しいポンプヘッドを滑り込ませて、所定の位置に新しいポンプヘッドをクランプで固定して、わずかな遅延又はポンプで送り込まれる媒体へのわずかな曝露で稼働が開始される。
この設計は、材料の相互汚染の可能性を排除する単純な使い捨てを可能にする。
【００１５】
必ずしも縮尺通りに描かれていない図面は以下の図を含む。
【図面の簡単な説明】
【００１６】
【図１】本発明の一部の実施形態に係る使い捨てポンプヘッド及びキャニスタアセンブリの分解図である。
【図１ａ】本発明の一部の実施形態に係るキャニスタアセンブリ内に配置される使い捨てポンプヘッドを示す、図５（ｉ）の分解組立図である。
【図１ｂ】本発明の一部の実施形態に係る図１ａのキャニスタから取り外された図１ａの使い捨てポンプヘッドを示す、図５ｂ（ｉｖ）の分解組立図である。
【図２】本発明の一部の実施形態に係る使い捨てポンプヘッド及びキャニスタアセンブリの平面図である。
【図３】本発明の一部の実施形態に係る図２の使い捨てポンプヘッド及びキャニスタアセンブリの側面図である。
【図４】本発明の一部の実施形態に係る使い捨てポンプヘッド及びキャニスタアセンブリの断面図である。
【図５】図５ａ及び図５ｂを含み、図５ａは、図５ａ（ｉ）、（ｉｉ）、（ｉｉｉ）、（ｉｖ）、（ｖ）、（ｖｉ）、（ｖｉｉ）を含み、本発明の一部の実施形態に係る新しいユニットとのユニットの交換を示す一連の図であり、図５ｂは、図５ｂ（ｉ）、（ｉｉ）、（ｉｉｉ）、（ｉｖ）、（ｖ）、（ｖｉ）、（ｖｉｉ）を含み、本発明の一部の実施形態に係る新しいユニットとのユニットの交換を示す、図５ａ（ｉ）、（ｉｉ）、（ｉｉｉ）、（ｉｖ）、（ｖ）、（ｖｉ）、（ｖｉｉ）を含む図５ａの一連の図に対応する一連の断面図である。
【図６】図６ａ及び図６ｂを含み、図６ａは、本発明の一部の実施形態に係るモータに完全にはめ込まれてモータに係合させられるポンプユニットの図であり、図６ｂは、本発明の一部の実施形態に係るスライドして引っ張り出されるポンプユニットの図である。
【図７】図７ａ、図７ｂ、図７ｃ、及び図７ｄを含み、本発明の一部の実施形態に係る使い捨てポンプヘッドアセンブリ又はポンプユニットの図であり、図７ａはポンプユニットの正面図であり、図７ｂはポンプユニットの側面図であり、図７ｃはポンプユニットの背面斜視図であり、図７ｄはポンプユニットの背面図である。
【図８】図８ａ、図８ｂ、及び図８ｃを含み、本発明の一部の実施形態に係るキャニスタの格納容器の図であり、図８ａはキャニスタの格納容器の側面斜視図であり、図８ｂはキャニスタの格納容器の側面図であり、図８ｃはキャニスタの格納容器の正面斜視図である。
【発明を実施するための形態】
【００１７】
図１は、全体として１００で示される使い捨てポンプヘッド及びキャニスタアセンブリを示しており、前記使い捨てポンプヘッド及びキャニスタアセンブリ１００は、カバー１と、パッド２と、上側ハウジング３と、上側ハウジングの可撓タブ３ａと、弁ハウジング４と、ピストン５と、膜６と、膜支持プレート７と、外側ピストンプレート８と、軸受けハウジング９と、カム１０と、クランプ１１と、キャニスタ１２と、ガスケット１３と、取付リング１４と、軸受け１５と、モータアダプタ１６と、を含む。上側ハウジング３と、弁ハウジング４と、ピストン５と、膜６と、膜支持プレート７と、外側ピストンプレート８と、軸受けハウジング９と、カム１０とは結合して、使い捨てポンプヘッドアセンブリとしても知られるとともにアセンブリ１００全体の中で全体として１００ａで示される使い捨てポンプヘッドを構成する一方で、残りの構成要素は、結合してキャニスタ１２を構成し、カバー１と、パッド２と、クランプ１１と、キャニスタ１２と、ガスケット１３と、取付リング１４と、軸受け１５と、モータアダプタ１６と、を含み得る。一例として、本発明は、膜ポンプの形態をとる使い捨てポンプヘッドアセンブリ１００ａに関して図示されて説明され、膜ポンプは、ゴム、熱可塑性樹脂、又はテフロン（登録商標）の膜の往復動作とポンプで流体を送り込むための適切な逆止め弁との組み合わせを用いる容積型ポンプであることが理解されているものの、本発明の範囲は、現在既知の又は将来的に後に開発される任意の特定のタイプ又は種類のポンプに限定されることは意図されていない。
【００１８】
図１ａ及び図１ｂは、図１ａのキャニスタ１２内に配置されるとともに図１ｂのキャニスタ１２の外側に配置される組立モジュールユニットとしての使い捨てポンプヘッドアセンブリ１００ａを示している。図１ａ及び図１ｂでは、使い捨てポンプヘッドアセンブリ１００ａ及びキャニスタ１２はモータ２０に関連付けて配置される。図１、図１ａ及び図１ｂでは同様の構成要素には同様の参照符号が付される。
【００１９】
図１ａ及び図１ｂでは、上側ハウジング３は、膜支持プレート７の対応の構造にスナップ式に取り付けられる複数の上側ハウジングの可撓タブ３ａを介して膜支持プレート７に連結されるように構成される。一例として、本発明は、スナップ式の取り付けを用いて膜支持プレート７に連結される上側ハウジング３を有するものとして説明されるものの、本発明の範囲は、現在既知の又は将来的に後に開発される任意の特定のタイプ又は種類の連結技術に限定されることは意図されていない。例えば、上側ハウジング３と、弁ハウジング４と、ピストン５と、膜６と、膜支持プレート７と、外側ピストンプレート８と、軸受けハウジング９と、カム１０と、を含むポンプヘッドアセンブリ１００ａの様々な構成要素のアセンブリは、スナップ式、ねじ、音波接合、リベット、又は、現在既知の若しくは将来的に後に開発されるいずれかの任意の保持方法の形態をとり得る。さらに、一例として、本発明は、上側ハウジングの４つの可撓タブ３ａの形態をとる上側ハウジングの複数の可撓タブ３ａを有するものとして説明されるものの、本発明の範囲は任意の特定の数の可撓タブに限定されることは意図されていない。
【００２０】
図１ａ及び図１ｂでは、弁ハウジング４と、ピストン５と、膜６とは、上側ハウジング３と膜支持プレート７との間に配置されるように構成される。軸受けハウジング９は、１つが９ｂで表示される４つの締結具（例えばねじ）を用いてピストン５に軸受け９ａ及び外側ピストンプレート８を連結するように形成される。カム１０は、図示されるように軸受け９ａ内に配置される。
【００２１】
図１ａ及び図１ｂでは、外側ピストンプレート８は、既定の形状を有する外壁８ａを有するように構成されて、往復ピストン５を受け入れる開口を有する。カム１０は、使い捨てポンプヘッドアセンブリ１００ａが、流入口３ｂからポンプヘッドを通って流出口３ｃまでポンプで流体を送り込むことが可能であるように、往復ピストン５を駆動するモータ２０のシャフト２０ａに連結されるように構成される。
【００２２】
キャニスタ１２は、外壁部分１２ａと、カバー１と、底壁部分１２ｂとを有するように構成される。外壁部分１２ａは、使い捨てポンプヘッドアセンブリ１００ａの少なくとも一部を受け入れる空洞部分１２ｄを規定するように構成される。底壁部分１２ｂは、当該底壁部分１２ｂ内に形成される内壁１２ｅであって、外側ピストンプレート８を受け入れるために外側ピストンプレート８の壁８ａの既定の形状とほぼ同様の対応の既定の形状を有する内壁１２ｅを有するように構成される。カバー１は、カム１０が往復ピストン５を駆動させる時にキャニスタ１２に対する使い捨てポンプヘッドアセンブリ１００ａの回転運動を妨げるために、上側部分１２ｂ’（図１ｂ及び図４）に対して膜支持プレート７の下側部分７ａを押し付けるためにラッチで留められる。特に、パッド２は、使い捨てポンプヘッドを空洞１２ｄ内に押し込むか又は押しやってモータ２０に摩擦によって係合するためにカバー１が閉じられる時に上側ハウジング３の上部３ｅに接触するような寸法を有する圧縮部材であってよい。図示されるように、上部３ｅは、中心部分から広がってリムまで広がる部材を有するように構成されてよいものの、上部３ｅには本発明の精神内で他のタイプ又は種類の構成が用いられてよい。図４に最もよく示されるように、パッドの一部は、Ｃが付される矢印で示されるように、上側ハウジング３の上部３ｅによってパッドの一部は圧縮されて上部３ｅの方へ圧縮される。パッド２は、エラストマー材料、又は泡状の材料、又は現在既知の若しくは将来的に後に開発される他のタイプ若しくは種類の圧縮材料から形成されてよい。実施形態は、圧縮部材がばね状の構成要素の形態をとり得ることも想定される。本発明に係る特定の実施形態のための圧縮部材の設計上の選択に応じて、当業者であれば、使い捨てポンプヘッドを空洞１２ｄ内に押し込むか又は押しやってモータ２０に摩擦によって係合させるためにカバー１が閉じられる時に上側ハウジング３の上部３ｅに接触するように必要以上の実験なしで適切な寸法を決定することが可能である。
【００２３】
底壁部分１２ｂはまた、カム１０がモータ２０のシャフト２０ａに連結され得るように開口（符号なし）を有するように構成される。カバー１は、使い捨てポンプヘッドアセンブリ１００ａを交換するためにキャニスタ１２を開けるために、かつ、使い捨てポンプヘッドアセンブリ１００ａが交換された後にキャニスタ１２を閉じるために、外壁部分１２ａに着脱自在に連結されるように構成される。キャニスタ１２はまた、ポンプヘッドアセンブリ１００ａのそれぞれの出入口３ｂ、３ｃを受け入れるように形作られる開口１２ｆ、１２ｇを有するように構成される。
【００２４】
図１ａ及び図１ｂでは、モータアダプタ１６は、いずれか１つが符号１６ａを付される対応の４つの締結具を用いてモータ２０に連結するように形成される。モータアダプタ１６は、軸受け１５がカム１０に関連付けて配置されるように、軸受け１５を受け入れて、いずれか１つが符号１６ｂを付される４つの対応の締結具を用いてキャニスタ１２の底壁部分１２ｂに対して支えられて底壁部分１２ｂに連結するように構成される。モータ２０は、軸受け１５を通り抜けて使い捨てポンプヘッド１００ａのカム１０に連結されるように構成されるシャフト２０ａを有する。キャニスタ１２は、独立型ユニットの形態をとるか、又は、例えばキャニスタ１２と取付リング１４との間でガスケット１３に加えて棚を挟み込むことによって、棚又は他の適切な構造を有する壁３０に取り付けられてよい（図１ａ及び図１ｂを参照）。取付リング１４が壁３０に装着される場合、取付リング１４は、モータアダプタ１６に関連付けて配置されて、いずれか１つが符号１４ａを付される対応の４つの締結具を用いて、キャニスタ１２の底壁部分１２ｂと壁３０又は他の適切な構造とを連結するように構成される。ガスケット１３は、任意選択的であり、図示されるように、取付リング１４とキャニスタ１２の底壁部分１２ｂとの間に配置されてよい。
【００２５】
ポンプヘッドアセンブリ１００ａは、ポンプヘッド１００ａが用いられるであろう特定の適用、稼働又は手順に影響を及ぼさない材料から形成されてよい。例えば、生物工学の市場では、ポンプヘッド１００ａは、日光にさらされてよい材料から形成され得る。他のタイプ又は種類の適用、稼働又は手順では、ポンプヘッドアセンブリ１００ａは、そのタイプ又は種類の適用、稼働又は手順の何らかの特性又は条件に依存又は特に関連する材料から形成され得る。本発明の範囲は、現在既知の又は将来的に後に開発されるタイプ又は種類の材料に限定されることは意図されていない。
【００２６】
ポンプヘッド１００ａは、一例として３つの衛生クランプ口、ねじ山付き出入口、急速接続出入口、又は現在既知の又は将来的に後に開発される任意の他の出入口の構造を含む多くの異なる様々なタイプ又は種類の出入口３ｂを有するように構成されてよい。
【００２７】
図２及び図３  キャニスタ１２
図２及び図３は、クランプ１１によってカバー１にラッチをかけることによってキャニスタ１２内に配置されて所定の位置に保持される使い捨てポンプヘッド１００ａを有するキャニスタ１２の他の図を示す。クランプ１１は、クランプハンドル１１ａと、揺動ロッド１１ｃで揺動可能にヒンジ式に取り付けられる中間部分１１ｂと、カバー１の対応の構造１ａに着脱自在に連結されるように構成されるラッチ部分１１ｄと、を含む部品の配置を備える。ラッチ部分１１ｄはまた、揺動ロッド１１ｅ上で中間部分１１ｂにヒンジ式に連結される。実施形態は、クランプ１１が引張力を受けてカバーにラッチをかけるためのばね状の配置を備えることも想定される。
【００２８】
図４
図４は、キャニスタ１２内に配置される使い捨てポンプヘッド１００ａの断面図を示す。図示されるように、カバー１は、正しい位置に上げられて閉じられ、クランプ１１を用いて所定の位置にクランプで留められる。この構造は、使い捨てポンプヘッド１００ａを圧縮して又は押し込んで、使い捨てポンプヘッド又はユニット１００ａが、特定の適用で稼働するための圧力を達成することを可能にする。
【００２９】
図５
ポンプヘッド１００ａが必要とされなくなる時点で、例えば適用、稼働、又は手順が終了した時点で、カバー１が開けられて、ポンプヘッド１００ａが処分のためにキャニスタ１２から取り出され得る。
【００３０】
図５は、使い捨てポンプヘッド１００ａを、新しい要素１００ａのような新しい使い捨てポンプヘッドと交換する工程を示す。
【００３１】
図５ａ（ｉ）及び図５ｂ（ｉ）では、クランプ１１が正しい位置にあってキャニスタユニット１２が閉じてロックされた状態である。図５ｂ（ｉ）に示されるもののさらなる詳細のために、図５ｂ（ｉ）の分解図であって使い捨てポンプヘッド１００ａを備える構成要素のさらなる詳細を含む図１ａに関連する説明も参照されたい。
【００３２】
図５ａ（ｉｉ）及び図５ｂ（ｉｉ）ではクランプ１１が外される。
【００３３】
図５ａ（ｉｉｉ）及び図５ｂ（ｉｉｉ）ではカバー１が開けられる。
【００３４】
図５ａ（ｉｖ）及び図５ｂ（ｉｖ）では、使い捨てポンプヘッド１００ａがキャニスタ１２から外側にスライドして引っ張り出される。図５ｂ（ｉｖ）に示されるもののさらなる詳細のために、図５ｂ（ｉｖ）の分解図であって使い捨てポンプヘッド１００ａを備える構成要素のさらなる詳細を含む図１ｂに関連する説明も参照されたい。
【００３５】
図５ａ（ｖ）及び図５ｂ（ｖ）では、新しい要素１００ａのような新しい使い捨てポンプヘッドがキャニスタ１２内にスライドして差し込まれる。
【００３６】
図５ａ（ｖｉ）及び図５ｂ（ｖｉ）ではカバー１が閉じられる。
【００３７】
図５ａ（ｖｉｉ）及び図５ｂ（ｖｉｉ）では、クランプ１１が正しい位置にロックされてキャニスタユニット１２がロックされる。
【００３８】
図５ａ（ｉ）〜図５ａ（ｖｉｉ）の特徴と図５ｂ（ｉ）〜図５ｂ（ｖｉｉ）の特徴とは同様であるので、全体として図５を雑然とさせないために、キャニスタ１２の開放、交換、及び閉鎖に関して図５ａ（ｉ）、図５ｂ（ｉ）、図５ａ（ｉｖ）、及び図５ｂ（ｉｖ）の関連する特徴にのみ符号が付される。
【００３９】
本発明の利点は、システムの全体を消毒しないこと、代わりにキャニスタ１２からポンプヘッドアセンブリ１００ａを単に取り外すこと、かつ、取り外したポンプヘッドアセンブリ１００ａを、新しいポンプヘッドアセンブリ又はユニットと交換することによる、組み立て及び分解の容易さと保守の省略とにある。
【００４０】
図６
図６は、モータ２０に対する使い捨てポンプヘッド１００ａのカム１０の係合（図１、図１ａ、図１ｂを参照）を示す拡大図である。一例として図示されるように、この係合は、締結具の必要性を排除するために「Ｄ」駆動を用いることによって実行される。図示されるような「Ｄ」駆動は当技術分野で知られており、本発明の範囲は、現在既知の又は将来的に後に開発される任意の特定のタイプ又は種類のものに限定されることは意図されていない。さらに、現在既知の又は将来的に後に開発される他のタイプ又は種類のモータの係合方法が用いられ得るので、本発明の範囲が「Ｄ」駆動の係合の使用に限定されることは意図されていない。
【００４１】
図７
図７は、本発明に係る使い捨てポンプヘッドユニット１００ａの他の図を示しており、図１、図１ａ、図１ｂを含む他の図に対して理解される必要がある程度に、かつ、図示されてここで説明されたものと一致した符号が付される。
【００４２】
図８
図８は、本発明に係るキャニスタ１２の他の図を示しており、図１、図１ａ、図１ｂを含む他の図に対して理解される必要がある程度に、かつ、図示されてここで説明されたものと一致した符号が付される。
【００４３】
適用可能性
本発明の適用可能性は、少なくとも以下の、生物工学、食物取扱い、飲料、産業上の、かつ任意の流体交換への適用を含み得る。
【００４４】
本発明の範囲
ここで別なように説明されない限り、ここで特定の実施形態に関して説明された特徴、特性、代替、又は変形のいずれかが、ここで説明された任意の他の実施形態に適用され、用いられ、又は組み入れられてもよい。また、ここでの図面は縮尺通りに描かれていない。
【００４５】
本発明は、その例示の実施形態に関して説明されて明示されたものの、本発明の精神及び範囲を逸脱しない限り、前述の様々な他の追加又は省略がその中でかつそれに加えてなされてよい。
【符号の説明】
【００４６】
１    カバー
２    圧縮パッド
３    上側ハウジング
３ｂ    流入口
３ｃ    流出口
４    弁ハウジング
５    往復ピストン
６    膜
７    支持プレート
８    外側ピストンプレート
９    軸受けハウジング
１０    カム
１１    クランプ
１２    キャニスタ
１２ａ    外壁部分
１２ｂ    底壁
１２ｄ    空洞
２０    モータ
２０ａ    シャフト
１００ａ    使い捨てポンプヘッド
【図１】
2011069369.tif 000003
【図１ａ】
2011069369.tif 000004
【図１ｂ】
2011069369.tif 000005
【図２】
2011069369.tif 000006
【図３】
2011069369.tif 000007
【図４】
2011069369.tif 000008
【図５】
2011069369.tif 000009
【図６】
2011069369.tif 000010
【図７】
2011069369.tif 000011
【図８】
2011069369.tif 000012
【外国語明細書】
2011069369000001.pdf